(57)【要約】【課題】書類の原本に機密情報を保護された形式で記載し，かつ当事者がその存在を認知してアクセスすることの可能な機密情報印刷方法，機密情報印刷システム，及び，機密情報印刷装置を提供する。【解決手段】機密情報を第三者が読み取ることのできない表現である代用表現に変換し，機密情報が代用表現で印刷されていることを示す文字列とともに，機密情報を代用表現で印刷する。機密情報には利用者の認証に必要な認証情報を含み，代用表現で印刷された機密情報を読み取って画面表示する際，認証情報を用いて利用者を認証した後画面表示する。印刷するデータのうち機密情報に相当する部分を取り出し，これを文字以外の手段（代用手段）で表現したものを代わりに印刷する。また，当該部分には代用手段によって表現されている旨のメッセージを表示し，当事者に機密情報の存在を認知させることができる。【選択図】　図３
2004058410.tif 000002
【特許請求の範囲】
【請求項１】
機密情報を含む情報を紙面に印刷する機密情報印刷方法において，
前記機密情報を第三者が読み取ることのできない表現である代用表現に変換し，
前記機密情報が前記代用表現で印刷されていることを示す文字列とともに，機密情報を前記代用表現で印刷することを特徴とする，機密情報印刷方法。
【請求項２】
前記機密情報には利用者の認証に必要な認証情報を含み，
前記代用表現で印刷された機密情報を読み取って画面表示する際，前記認証情報を用いて利用者を認証した後画面表示することを特徴とする，請求項１に記載の機密情報印刷方法。
【請求項３】
前記紙面には，利用者の認証に必要な認証情報を第三者が読み取ることのできない表現である代用表現に変換したものも合わせて印刷し，
前記代用表現で印刷された機密情報を読み取って画面表示する際，読み取り前に前記代用表現に変換されて印刷された前記認証情報を用いて利用者を認証し，その後前記機密情報を読み取って画面表示することを特徴とする，請求項１に記載の機密情報印刷方法。
【請求項４】
前記代用表現は，バーコード，二次元バーコード，またはグリフコードで表されることを特徴とする，請求項１，２または３のいずれかに記載の機密情報印刷方法。
【請求項５】
前記認証情報は，パスワードであることを特徴とする，請求項２，３または４のいずれかに記載の機密情報印刷方法。
【請求項６】
前記認証情報は，生体特徴に関する情報であることを特徴とする，請求項２，３または４のいずれかに記載の機密情報印刷方法。
【請求項７】
機密情報と利用者の認証に必要な認証情報とを含む情報を紙面に印刷する機密情報印刷装置と，該紙面から機密情報を読み取る機密情報読み取り装置との間でやりとりを行う機密情報印刷システムにおいて，
前記機密情報印刷装置は，
前記機密情報及び前記認証情報を第三者が読み取ることのできない表現である代用表現に変換する代用表現生成部と，
前記機密情報が前記代用表現で印刷されていることを示す文字列とともに，前記機密情報及び前記認証情報を前記代用表現で印刷する印刷部と，
を備え，
前記機密情報読み取り装置は，
前記機密情報及び前記認証情報が代用表現で印刷された紙面を前記機密情報印刷装置から取得して，前記機密情報及び前記認証情報を抽出する機密情報抽出部と，
前記抽出された認証情報をもとに前記機密情報へのアクセス権限を認証するアクセス制御部と，
を備えたことを特徴とする，機密情報印刷システム。
【請求項８】
機密情報と利用者の認証に必要な認証情報とを含む情報を紙面に印刷する機密情報印刷装置と，該紙面から機密情報を読み取る機密情報読み取り装置との間でやりとりを行う機密情報印刷システムにおいて，
前記機密情報印刷装置は，
前記機密情報及び前記認証情報を暗号化するための暗号鍵を取得する暗号鍵取得部と，
前記暗号鍵で前記機密情報及び前記認証情報を暗号化する機密情報暗号化部と，
前記機密情報及び前記認証情報を第三者が読み取ることのできない表現である代用表現に変換する代用表現生成部と，
前記機密情報が前記代用表現で印刷されていることを示す文字列とともに，前記機密情報及び前記認証情報を前記代用表現で印刷する印刷部と，
を備え，
前記機密情報読み出し装置は，
前記機密情報及び前記認証情報を復号するための復号鍵を取得する復号鍵取得部と，
前記機密情報及び前記認証情報が代用表現で印刷された紙面を前記機密情報印刷装置から取得して，前記復号鍵で前記認証情報を取得する認証情報取得部と，前記取得された認証情報をもとに前記機密情報へのアクセス権限を認証するアクセス制御部と，
前記紙面から前記機密情報を抽出する機密情報抽出部と，
前記復号鍵で前記機密情報を復号する機密情報復号部と，
を備えたことを特徴とする，機密情報印刷システム。
【請求項９】
機密情報を含む情報を紙面に印刷する機密情報印刷装置において，
前記機密情報を第三者が読み取ることのできない表現である代用表現に変換する代用表現生成部と，
前記機密情報が前記代用表現で印刷されていることを示す文字列とともに，機密情報を前記代用表現で印刷する印刷部と，
を備えたことを特徴とする，機密情報印刷装置。
【請求項１０】
機密情報を含む情報を紙面に印刷する機密情報印刷装置において，
前記機密情報を暗号化するための暗号鍵を取得する暗号鍵取得部と，
前記暗号鍵で前記機密情報を暗号化する機密情報暗号化部と，
前記機密情報を第三者が読み取ることのできない表現である代用表現に変換する代用表現生成部と，
前記機密情報が前記代用表現で印刷されていることを示す文字列とともに，機密情報を前記代用表現で印刷する印刷部と，
を備えたことを特徴とする，機密情報印刷装置。
【発明の詳細な説明】
【０００１】
【発明の属する技術分野】
本発明は，公衆に知られたくない情報（機密情報）を紙面に印刷する機密情報印刷方法，機密情報印刷システム，及び，機密情報印刷装置に関するものである。
【０００２】
【従来の技術】
近年，インターネットの普及に伴い，様々なデータがインターネットで交換されるようになってきている。この典型的な例が電子商取引であり，見積や発注，請求及び領収といったデータが電子的に交換されることで，空間的に離れた２者間で実時間での商取引が可能となっている。また，一般企業での決裁等の事務処理についても，このデータを社内ネットワーク上で交換し，すべてを電子的に行うワークフローシステムが利用されている。
【０００３】
このような場合，取引や決裁の記録を残すことは紛争処理の解決や公正性の確保などのために必要であり，また第三者による監査に供するためにデ一タを紙に印刷して保管することも多い。このような目的では電子帳簿保存法により電子的手段による保存も認めているが，実際には手続きが煩雑などの理由で紙による保管が多用されているのが現状である。
【０００４】
また決裁手続きについても申請者による申請から決裁者による決裁まではワークフローシステムによって電子的に行うことができるが，実際の決裁手続きはデータを紙面に印刷したものに捺印して行われる場合が多く，その後の情報伝達は紙によって行われる場合が多いのが現状である。
【０００５】
【発明が解決しようとする課題】
ところで，紙面によるデータの伝達方法では，データの内容がすべて紙面に記載されてしまうため，その紙面が第三者や部外者（例えば経理担当者など）の目に触れることによりデータの内容が第三者に不必要に漏洩してしまう。
【０００６】
このような事態を防ぐためには，機密としたいデータ（機密情報）を隠蔽した紙面を別途用意する必要がある。しかし決裁を受けた書類についてはそれを原本として回覧することによって経理などの事務手続きが行われるわけであり，その一部を隠蔽した別の書類は捺印がない（原本でない）ため経理などの処理を行うことができない。また，原本から機密情報の記載部分を抹消すれば，そこにどのような機密情報が記載されていたのかを知ることができなくなるため，内部の当事者であっても機密情報にアクセスする機会を失うことになってしまう。従って，書類の原本に機密情報を保護された形式で記載し，かつ当事者がその存在を認知してアクセスすることができる方法が求められている。
【０００７】
本発明は，従来の機密情報印刷方法が有する上記問題点に鑑みてなされたものであり，本発明の目的は，書類の原本に機密情報を保護された形式で記載し，かつ当事者がその存在を認知してアクセスすることの可能な，新規かつ改良された機密情報印刷方法，機密情報印刷システム，及び，機密情報印刷装置を提供することである。
【０００８】
【課題を解決するための手段】
上記課題を解決するため，本発明の第１の観点によれば，機密情報を含む情報を紙面に印刷する機密情報印刷方法であって，以下の工程を含む機密情報印刷方法が提供される。
（ａ）前記機密情報を第三者が読み取ることのできない表現である代用表現に変換する工程
（ｂ）前記機密情報が前記代用表現で印刷されていることを示す文字列とともに，機密情報を前記代用表現で印刷する工程
【０００９】
そして，前記機密情報には利用者の認証に必要な認証情報を含み，前記代用表現で印刷された機密情報を読み取って画面表示する際，前記認証情報を用いて利用者を認証した後画面表示することも可能である。
【００１０】
かかる方法によれば，印刷するデータのうち機密情報に相当する部分を取り出し，これを文字以外の手段（代用手段）で表現したものを代わりに印刷する。また，当該部分には代用手段によって表現されている旨のメッセージを表示し，当事者に機密情報の存在を認知させることができる。このような方法によって機密情報を印刷するものであるため，機密情報の存在を認知させつつ第三者に読めない形で記載した印刷物を作成することができる。
【００１１】
また，前記紙面には，利用者の認証に必要な認証情報を第三者が読み取ることのできない表現である代用表現に変換したものも合わせて印刷し，前記代用表現で印刷された機密情報を読み取って画面表示する際，読み取り前に前記代用表現に変換されて印刷された前記認証情報を用いて利用者を認証し，その後前記機密情報を読み取って画面表示することも可能である。機密情報及び認証情報を暗号化しておき，機密情報へのアクセスの前に認証情報を用いて利用者を認識することにより，機密情報を復号することなくアクセス制御が可能であり，かつ機密情報を暗号化することにより漏洩の危険性を抑えることができる。
【００１２】
また，前記代用表現を，バーコード，二次元バーコード，またはグリフコードで表すようにすれば，計算機処理によって情報を取り出すことが可能である。
【００１３】
また，前記認証情報は，例えばパスワードである。
【００１４】
また，前記認証情報を，例えば生体特徴に関する情報（例えば指紋や虹彩認証など）のように一身専属性の情報とすれば，機密情報の漏洩の危険性を抑えることができる。
【００１５】
また，上記課題を解決するため，本発明の第２の観点によれば，機密情報と利用者の認証に必要な認証情報とを含む情報を紙面に印刷する機密情報印刷装置（１００）と，該紙面から機密情報を読み取る機密情報読み取り装置（２００）との間でやりとりを行う機密情報印刷システムが提供される。
【００１６】
前記機密情報印刷装置（１００）は，前記機密情報及び前記認証情報を第三者が読み取ることのできない表現である代用表現に変換する代用表現生成部（１０２）と，前記機密情報が前記代用表現で印刷されていることを示す文字列とともに，前記機密情報及び前記認証情報を前記代用表現で印刷する印刷部（１０３）とを備えたことを特徴とする。
【００１７】
前記機密情報読み取り装置（２００）は，前記機密情報及び前記認証情報が代用表現で印刷された紙面を前記機密情報印刷装置から取得して，前記機密情報及び前記認証情報を抽出する機密情報抽出部（２０２）と，前記抽出された認証情報をもとに前記機密情報へのアクセス権限を認証するアクセス制御部（２０３）と，を備えたことを特徴とする。
【００１８】
また，上記課題を解決するため，本発明によれば，機密情報と利用者の認証に必要な認証情報とを含む情報を紙面に印刷する機密情報印刷装置（８００）と，該紙面から機密情報を読み取る機密情報読み取り装置（９００）との間でやりとりを行う機密情報印刷システムが提供される。
【００１９】
前記機密情報印刷装置（８００）は，前記機密情報及び前記認証情報を暗号化するための暗号鍵を取得する暗号鍵取得部（８０２）と，前記暗号鍵で前記機密情報及び前記認証情報を暗号化する機密情報暗号化部（８０３）と，前記機密情報及び前記認証情報を第三者が読み取ることのできない表現である代用表現に変換する代用表現生成部（１０２）と，前記機密情報が前記代用表現で印刷されていることを示す文字列とともに，前記機密情報及び前記認証情報を前記代用表現で印刷する印刷部（１０３）とを備えたことを特徴とする。
【００２０】
前記機密情報読み出し装置（９００）は，前記機密情報及び前記認証情報を復号するための復号鍵を取得する復号鍵取得部（９０２）と，前記機密情報及び前記認証情報が代用表現で印刷された紙面を前記機密情報印刷装置から取得して，前記復号鍵で前記認証情報を取得する認証情報取得部（９０３）と，前記取得された認証情報をもとに前記機密情報へのアクセス権限を認証するアクセス制御部（９０４）と，前記紙面から前記機密情報を抽出する機密情報抽出部（９０５）と，前記復号鍵で前記機密情報を復号する機密情報復号部（９０６）とを備えたことを特徴とする。
【００２１】
かかる機密情報印刷システムによれば，本発明の第１の観点にかかる機密情報印刷方法を容易に実現可能である。
【００２２】
また，上記課題を解決するため，本発明の第３の観点によれば，機密情報を含む情報を紙面に印刷する機密情報印刷装置において，以下の構成からなる機密情報印刷装置が提供される。
（ａ）前記機密情報を第三者が読み取ることのできない表現である代用表現に変換する代用表現生成部（１０２）
（ｂ）前記機密情報が前記代用表現で印刷されていることを示す文字列とともに，機密情報を前記代用表現で印刷する印刷部（１０３）
【００２３】
また，上記課題を解決するため，本発明によれば，機密情報を含む情報を紙面に印刷する機密情報印刷装置において，以下の構成からなる機密情報印刷装置が提供される。
（ａ）前記機密情報を暗号化するための暗号鍵を取得する暗号鍵取得部（８０２）
（ｂ）前記暗号鍵で前記機密情報を暗号化する機密情報暗号化部（８０３）
（ｃ）前記機密情報を第三者が読み取ることのできない表現である代用表現に変換する代用表現生成部（８０４）
（ｄ）前記機密情報が前記代用表現で印刷されていることを示す文字列とともに，機密情報を前記代用表現で印刷する印刷部（８０５）
【００２４】
かかる機密情報印刷装置は，本発明の第２の観点にかかる機密情報印刷システムの一構成要素として利用することが可能であり，また，本発明の第１の観点にかかる機密情報印刷方法を容易に実現可能である。
【００２５】
【発明の実施の形態】
以下に添付図面を参照しながら，本発明にかかる機密情報印刷方法，機密情報印刷システム，及び，機密情報印刷装置の好適な実施の形態について詳細に説明する。なお，本明細書及び図面において，実質的に同一の機能構成を有する構成要素については，同一の符号を付することにより重複説明を省略する。
【００２６】
（第１の実施の形態）
第１の実施の形態にかかる機密情報印刷システムについて，図１〜図７を参照しながら説明する。この機密情報印刷システムは，図１に示した機密情報印刷装置１００と，図２に示した機密情報読み出し装置２００を含んで構成されている。
【００２７】
（機密情報印刷装置１００）
機密情報を印刷する機密情報印刷装置１００は，図１に示したように，データ入力部１０１と，代用表現生成部１０２と，印刷部１０３を含んで構成されている。データ入力部１０１は印刷すべきデータの入力を受ける部分であり，電子商取引システムやワークフローシステムなどの外部システムとの接続機能を持つ。代用表現生成部１０２は受け取ったデータから印刷データを生成する部分であり，機密情報の存在を示すメッセージの埋め込み，機密情報の代用表現生成の各機能を持つ。印刷部１０３は代用表現生成部１０２で生成した印刷データを印刷する部分であり，例えばプリンタである。
【００２８】
図１に示した機密情報印刷装置１００と図２に示した機密情報読み出し装置２００との間においては，例えば配送手段を用いて，印刷紙面のやりとりが可能となっている。
【００２９】
（機密情報読み出し装置２００）
印刷された機密情報を読み出す機密情報読み出し装置２００は，図２に示したように，紙面読込部２０１と，機密情報抽出部２０２と，アクセス制御部２０３と，機密情報表示部２０４を含んで構成されている。紙面読込部２０１は印刷部１０３で印刷された紙面を読み込む部分であり，例えばスキャナである。機密情報抽出部２０２は読み込まれた紙面に代用表現によって印刷されている機密情報を抽出する部分である。アクセス制御部２０３はシステムの操作者が所定の権限を有することを認証する部分である。機密情報表示部２０４は抽出された機密情報を表示する部分であり，例えばディスプレイである。
【００３０】
（第１の実施の形態の動作）
本実施の形態にかかる機密情報印刷システムは以上のように構成されている。次いで，機密情報印刷システムの動作を，図３〜図７を参照しながら説明する。はじめに印刷時の動作について，図３〜図５を参照しながら説明する。
【００３１】
図３は，機密情報の印刷処理フローチャートである。
まずステップＳ３０１において，データ入力部１０１で印刷すべきデータを外部システムより受け取る。このデータはデータ入力部１０１に接続された電子商取引システムやワークフローシステムなどの外部システムから受け取る。
【００３２】
外部システムから受け取るデータの例を図４に示す。同図に示したものは企業内での購入物品に関する費用処理のＸＭＬ（ｅＸｔｅｎｓｉｂｌｅ　Ｍａｒｋｕｐ　Ｌａｎｇｕａｇｅ）データ例であり，アクセスのためのパスワードもＰａｓｓｗｏｒｄデータ項目として与えられている。各データ項目にはＴｉｔｌｅ，Ｄａｔａ，Ｓｅｃｒｅｔの３つのエレメントが存在しており，このうちｓｅｃｒｅｔエレメントには当該データ項目が機密情報であるかどうかを示す値が与えられている。例えばＩｔｅｍデータ項目のＳｅｃｒｅｔエレメントの値は０であり，この項目が機密情報でないことを示している。一方，ｔｒａｎｓｆｅｒＴｏデータ項目のＳｅｃｒｅｔエレメントの値は１であり，この項目が機密情報であることを示している。
【００３３】
次にステップＳ３０２において，受け取ったデータ項目のうち機密情報であるものを選別する。これは上記例の場合，Ｓｅｃｒｅｔエレメントの値が１であるものを選別することによって行われる。
【００３４】
次にステップＳ３０３において機密情報に対する代用表現を作成する。代用表現の作成方法としては様々な方法や手段が利用できるが，印刷する情報を第三者が読み取ることのできない表現であればどのようなものであってもよい。例えば，バーコードを用いて代用表現を作成してもよい。ただし，バーコードを用いて代用表現を作成した場合，第三者が視覚的にその情報を読み取ることはできないが，そこに何らかの情報が存在することが知られてしまう。そこで，第三者が印刷する情報を読み取ることができないのみならず，代用表現の存在自体を第三者が知ることのできない方法により代用表現を作成することがより好ましい。このような方法としては，電子透かし技術を用いて代用表現を作成する方法がある。
【００３５】
電子透かし技術を用いて文書に機密情報を埋め込む技術としては，例えば文献（特願２００１−２１７７５８「透かし情報埋め込み装置，及び，透かし情報検出装置」，特願２００２−１７７０８６号「透かし情報埋め込み装置，及び，透かし情報検出装置」）に示されたものがある。この文献に示された透かし画像埋め込み装置は，ドットの配列によって波の方向及び／又は波長を変化させたドットパターンを複数用意し，１つのドットパターンに対して１つのシンボルを与え，ドットパターンを組み合わせて配置することにより，文書に機密情報を与えるものである。本実施の形態では，この文献に示された透かし情報埋め込み装置を用いることができ，同装置が印刷データから作成する透かし画像を代用表現として利用することができる。
【００３６】
次にステップＳ３０４においてデータを記載した文書画像を形成する。文書画像の形成にはデータの種別によって様々な方法が利用でき，当該データを画面表示できるアプリケーションソフトウェア製品を用いることによっても可能である。例えば図４に示したＸＭＬ形式のデータの場合は，その表示方法を指定するＸＳＬスタイルシートを作成し，一般的によく用いられるＭｉｃｒｏｓｏｆｔ社製Ｉｎｔｅｒｎｅｔ　Ｅｘｐｌｏｒｅｒ等の閲覧ソフト（ブラウザ）を利用することでＸＭＬ形式のデータを指定形式で画面表示させることができる。従ってこの画面表示パターンを文書画像として利用することができる。
【００３７】
このとき，機密情報に該当するデータについてはその存在を主張させるため，データそのものを文書画像に記載せず，代用表現によって印刷されていることを伝えるメッセージを必要に応じて代わりに用いる。
【００３８】
次にステップＳ３０５において代用表現と文書画像を統合し印刷データを作成する。代用表現の生成に前記の装置を用いる場合には同装置がこの統合処理を行い，その結果透かし入り文書画像が得られる。従ってこの画像を印刷データとして利用することができる。生成された印刷データはステップＳ３０６において印刷部１０３により印刷される。
【００３９】
図４のデータに対して印刷された紙面の例を図５に示す。これは前記の方法で作成したものであり，全体に地紋として印刷されているものが機密情報の代用表現である。また機密情報である「費用振込先」の欄には本情報が「セキュアプリント」と呼ばれる代用表現によって印刷されている旨のメッセージが代わりに印刷されており，これにより機密情報が保護されていることを伝えることができる。
【００４０】
次いで，このような処理によって印刷された機密情報の読み出し時の動作について，図６〜図７を参照しながら説明する。
【００４１】
図６は，機密情報の読み出し処理フローチャートである。
まずステップＳ６０１において，紙面説込部２０１を用いて対象となる印刷物の紙面を読み込む。そしてステップＳ６０２において機密情報の抽出を行う。これは前記文献（特願２００１−２１７７５８「透かし情報埋め込み装置，及び，透かし情報検出装置」，特願２００２−１７７０８６号「透かし情報埋め込み装置，及び，透かし情報検出装置」）に記載の透かし情報検出装置を用いることによって行うことができる。
【００４２】
次にステップＳ６０３においてアクセス制御を行う。これはユーザからパスワードの入力を受け付け，これを機密情報として紙面より抽出したパスワードと比較することによって行う。一致した場合はステップＳ６０４において機密情報を含むデータを画面表示する。
【００４３】
画面表示の例を図７に示す。同図は図５に示した紙面に対して機密情報を表示させたものであり，機密情報である「費用振込先」のデータが表示されている。これは紙面には記載されていない情報であるが，正しいパスワードによるアクセス制御の結果，機密情報が画面に表示されたことを示している。
【００４４】
（第１の実施の形態の効果）
以上説明したように，本実施の形態によれば，機密情報を代用手段で表現して印刷し，機密情報に該当する部分には代用手段によって表現されている旨のメッセージを印刷することができる。従って，機密情報の存在を認知させつつ第三者に読めない形で記載した印刷物を作成することができる。
【００４５】
（第２の実施の形態）
上記第１の実施の形態では機密情報の表示に必要なパスワードも機密情報の一種として紙面に埋め込んでいたが，この場合パスワードを得るために機密情報を復元する必要があり，内部メモリへのアクセスが行われるなどによって機密情報が不正に漏れる可能性がある。これに対し第２の実施の形態は，第１の実施の形態に対しさらに暗号化機能を付加し，パスワードによるアクセス制御の後に機密情報を復元するようにしたものである。
【００４６】
第２の実施の形態にかかる機密情報印刷システムについて，図８〜図１１を参照しながら説明する。この機密情報印刷システムは，図８に示した機密情報印刷装置８００と，図９に示した機密情報読み出し装置９００を含んで構成されている。
【００４７】
（機密情報印刷装置８００）
機密情報を印刷する機密情報印刷装置８００は，図８に示したように，データ入力部８０１と，代用表現生成部８０４と，印刷部８０５を含み，さらに暗号鍵取得部８０２と，機密情報暗号化部８０３を付加して構成されている。データ入力部８０１，代用表現生成部８０４，印刷部８０５については，図１に示した機密情報印刷装置１００のデータ入力部１０１，代用表現生成部１０２，印刷部１０３と実質的に同様である。暗号鍵取得部８０２は機密情報を暗号化するための暗号鍵を外部より得る部分である。機密情報暗号化部８０３は暗号鍵で機密情報を暗号化する部分である。機密情報にはアクセス制御のために用いるパスワードも含まれる。
【００４８】
図８に示した機密情報印刷装置８００と図９に示した機密情報読み出し装置９００との間においては，例えば配送手段を用いて，印刷紙面のやりとりが可能となっている。
【００４９】
（機密情報読み出し装置９００）
印刷された機密情報を読み出す機密情報読み出し装置９００は，図９に示したように，紙面読込部９０１と，機密情報抽出部９０５と，アクセス制御部９０４と，機密情報表示部９０７を含み，さらに復号鍵を取得する復号鍵取得部９０２，パスワードを取得するパスワード取得部９０３，機密情報を復号する機密情報復号部９０６を付加して構成されている。なお，図２に示した機密情報読み出し装置２００と異なり，機密情報抽出部とアクセス制御部の構成順序を変更している。すなわち，本実施の形態では，先にアクセス制御を行ってからその後に機密情報を抽出することを特徴としている。
【００５０】
（第２の実施の形態の動作）
本実施の形態にかかる機密情報印刷システムは以上のように構成されている。次いで，機密情報印刷システムの動作を，図１０〜図１１を参照しながら説明する。はじめに印刷時の動作について，図１０を参照しながら説明する。
【００５１】
図１０は，機密情報の印刷処理フローチャートである。
ステップＳ１００１及びステップＳ１００２の動作については本発明の第１の実施の形態と同じであり，上位システムからのデータ入力及び機密情報選別の処理が行われる。次にステップＳ１００３において，暗号鍵取得部８０２を用いて暗号鍵を取得する。用いる暗号鍵は共通鍵暗号方式で用いられる共通鍵，あるいは公開鍵暗号方式で用いられる公開鍵のいずれであってもよい。これらの鍵はあらかじめ準備されシステム内に保管されたものを利用することができる。
【００５２】
次にステップＳ１００４において機密情報暗号化を行う。これは取得した暗号鍵を用いて機密情報を暗号化する部分である。パスワードについても別途暗号化を行う。
【００５３】
以降，ステップＳ１００５からステップＳ１００８の動作については本発明の第１の実施の形態と同じであり，暗号化したパスワード及び機密情報の代用表現と文書画像を統合し印刷する。但しパスワード及び機密情報の代用表現はそれぞれ異なる場所に印刷する。
【００５４】
次いで，このような処理によって印刷された機密情報の読み出し時の動作について，図１１を参照しながら説明する。
【００５５】
図１１は，機密情報の読み出し処理フローチャートである。
まずステップＳ１１０１において機密情報が印刷された紙面を読み込む。次にステップＳ１１０２において復号鍵取得部９０２を用いて復号鍵を取得する。復号鍵はその利用権限を持つ人だけが利用できるよう，例えばＩＣカード内に記録するなど十分に管理された形態で保管することが望ましい。
【００５６】
以下の動作の説明では復号鍵は機密情報印刷時に利用された暗号鍵と対のものであるとする。
【００５７】
次にステップＳ１１０３においてパスワード抽出を行う。これは紙面に印刷されたパスワードの代用表現部分を取り出し，第１の実施の形態と同様に透かし情報検出装置を用いて暗号化されたパスワードを得ることにより行う。そしてステップＳ１１０４において復号鍵を用いてパスワードを復号し，ステップＳ１１０５においてアクセス制御を行う。これはユーザからパスワードの入力を受け付け，これを復号したパスワードと比較することによって行う。
【００５８】
一致した場合はステップＳ１１０６において機密情報を抽出する。これは紙面に印刷された機密情報の代用表現部分を取り出し，上記と同様に透かし情報検出装置を用いて暗号化された機密情報を得ることにより行う。そしてステップＳ１１０７において復号鍵を用いて機密情報を復号し，ステップＳ１１０８において機密情報を画面に表示する。
【００５９】
（第２の実施の形態の効果）
以上説明したように，本実施の形態によれば，機密情報を復号することなくアクセス制御が可能であり，かつ機密情報を暗号化することにより漏洩の危険性を抑えることができる。
【００６０】
以上，添付図面を参照しながら本発明にかかる機密情報印刷方法，機密情報印刷システム，及び，機密情報印刷装置の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【００６１】
例えば，上記実施の形態では，機密情報の代用表現として特願２００１−２１７７５８「透かし情報埋め込み装置，及び，透かし情報検出装置」，特願２００２−１７７０８６号「透かし情報埋め込み装置，及び，透かし情報検出装置」に記載の透かし情報埋め込み装置が生成するものを用いることとしたが，本発明はこれに限定されない。例えば，二次元バーコードやグリフコードなど，計算機処理によって情報を取り出すことができる手段に置き換えることができる。
【００６２】
またアクセス制御のために用いるパスワードは，個人認証を行う他の手段（例えば指紋や虹彩認証など）に置き換えることもできる。さらに本発明の実施の形態では外部システムから受け取るデータをＸＭＬデータとしたが，このデータ形式は特に規定されたものである必要はなく，印刷の方式（タイトルなど）及び何が機密情報かを指定できるものであれば，特に限定されない。
【００６３】
【発明の効果】
以上説明したように，本発明によれば，印刷するデータのうち機密情報に相当する部分を取り出し，これを文字以外の手段（代用手段）で表現したものを代わりに印刷する。また，当該部分には代用手段によって表現されている旨のメッセージを表示し，当事者に機密情報の存在を認知させることができる。このような方法によって機密情報を印刷するものであるため，機密情報の存在を認知させつつ第三者に読めない形で記載した印刷物を作成することができる。
【００６４】
そして本発明によれば，個人情報や内部情報などの機密情報を一般には分からないよう代用表現によって記載し，かつその存在を示すことができる。機密情報としてはテキストデータの他，例えば印影やサインなどの画像データ，あるいは筆跡の時系列データなどさまざまなものを適用することができる。
【図面の簡単な説明】
【図１】第１の実施の形態に関する機密情報の印刷システムの構成例を示す説明図である。
【図２】第１の実施の形態に関する機密情報の読み出しシステムの構成例を示す説明図である。
【図３】第１の実施の形態に関する機密情報の印刷処理フローチャートである。
【図４】入力データの例を示す説明図である。
【図５】印刷紙面の例を示す説明図である。
【図６】第１の実施の形態に関する機密情報の読み出し処理フローチャートである。
【図７】画面表示の例を示す説明図である。
【図８】第２の実施の形態に関する機密情報の印刷システムの構成例を示す説明図である。
【図９】第２の実施の形態に関する機密情報の読み出しシステムの構成例を示す説明図である。
【図１０】第２の実施の形態に関する機密情報の印刷処理フローチャートである。
【図１１】第２の実施の形態に関する機密情報の読み出し処理フローチャートである。
【符号の説明】
１００　機密情報印刷装置
１０１　データ入力部
１０２　代用表現生成部
１０３　印刷部
２００　機密情報読み出し装置
２０１　紙面読込部
２０２　機密情報抽出部
２０３　アクセス制御部
２０４　機密情報表示部
８００　機密情報印刷装置
８０１　データ入力部
８０２　暗号鍵取得部
８０３　機密情報暗号化部
８０４　代用表現生成部
８０５　印刷部
９００　機密情報読み出し装置
９０１　紙面読込部
９０２　復号鍵取得部
９０３　パスワード取得部
９０４　アクセス制御部
９０５　機密情報抽出部
９０６　機密情報復号部
９０７　機密情報表示部
【図１】
2004058410.tif 000003
【図２】
2004058410.tif 000004
【図３】
2004058410.tif 000005
【図４】
2004058410.tif 000006
【図５】
2004058410.tif 000007
【図６】
2004058410.tif 000008
【図７】
2004058410.tif 000009
【図８】
2004058410.tif 000010
【図９】
2004058410.tif 000011
【図１０】
2004058410.tif 000012
【図１１】
2004058410.tif 000013